(57)【要約】      （修正有）【課題】少ない電気エネルギーで大きな電力を発生させると共に、簡単な構造を有し，かつ製造コストの低い発電装置を提供する。【解決手段】  架台１７、１８に回転可能に軸支され、円盤１１の周縁部に環状の磁石１２を設けてある回転磁石盤２と、前記回転磁石盤の外周縁より所定距離を置いて対向させ、その一方を円周方向に所定距離変位させて配置すると共に、その対向面に回転磁石と同一の磁極が向くようにしてある一対の固定磁石３、４と、前記回転磁石盤を回転駆動する駆動モーター５と、前記回転磁石盤の回転により駆動される発電機６とを備えてなる。【選択図】図１
0003139037.tif 000002
【実用新案登録請求の範囲】
【請求項１】
架台に回転可能に軸支され、円盤の周縁部に環状の磁石を設けてある回転磁石盤と、前記回転磁石盤の外周縁より所定距離を置いて対向させ、その一方を円周方向に所定距離変位させて配置すると共に、その対向面に回転磁石と同一の磁極が向くようにしてある一対の固定磁石と、前記回転磁石盤を回転駆動する駆動モーターと、前記回転磁石盤の回転により駆動される発電機とからなることを特徴とする発電装置。
【請求項２】
前記回転磁石盤は、鉄製円盤の外周面部に環状の磁石を固着すると共に、両側面部には、該磁石より広径の非磁性体製円盤を夫々装着してあることを特徴とする請求項１記載の発電装置。
【請求項３】
前記固定磁石は、回転磁石盤との間隔をその回転方向に徐々に狭まるように夫々装着してあることを特徴とする請求項１又は２記載の発電装置。
【考案の詳細な説明】
【技術分野】
【０００１】
本考案は発電装置に関し、特に磁力を利用した発電装置に関するものである。
【背景技術】
【０００２】
従来、この種発電装置として、本発明者は既に、特開２００２−３０３２５０号として出願している。
上記発電装置の要旨は、水平に固定された固定板と、該固定板の上面側に取付けられて環状に配置された第一の磁石と、前記固定板の上方に水平に配置され垂直方向に回転軸を有する回転板と、回転板の下面側に取付けられて環状に配置され前記第一の磁石と同一の磁極同士を相対させることで回転板を浮上させる第二の磁石と、回転板を回転駆動させる圧力流体噴射装置からなる回転板駆動装置と、発電機とからなるものである。
【特許文献１】特開２００２−３０３２５０号公報
【考案の開示】
【考案が解決しようとする課題】
【０００３】
上記構成からなる発電装置においては、小さな駆動力でも大きな慣性力により、回転板を高速に回転させる事ができ、高効率で発電を行う事ができる利点がある。しかし、永久磁石を多数設ける必要があること、圧力流体噴射装置からなる回転板駆動装置を設けることからして、装置が複雑且つ大型化するという難点があり、またその製造工程も複雑化せざるを得なかった。
そこで、本考案は、上記難点に鑑み、簡単な構造を有し，小型化が可能であり、かつ、製造コストの低い発電装置を提供しようとするものである。
【課題を解決するための手段】
【０００４】
上記目的を達成するために、本考案の発電装置は、架台に回転可能に軸支され、円盤の周縁部に環状の磁石を設けた回転磁石盤と、前記回転磁石盤の外周縁より所定距離を置いて対向させ、その一方を円周方向に所定距離変位させて配置すると共に、その対向面に回転磁石と同一の磁極が向くようにしてある一対の固定磁石と、前記回転磁石盤を回転駆動する駆動モーターと、前記回転磁石盤の回転により駆動される発電機とから構成してある。
また、前記回転磁石盤は、鉄製円板の外周面部に環状の磁石を固着すると共に、両側面部には、該磁石より広径の非磁性体製円盤を夫々固定して形成する場合がある。
また、記固定磁石は、回転磁石盤との間隔をその回転方向に徐々狭まるように夫々装着する場合もある。
【考案の効果】
【０００５】
本考案の発電装置によれば、請求項１記載の構成からして、小さい駆動エネルギーで回転磁石盤に大きな回転トルクを与えることが出来るので、発電機に大きな電力を発生させることが出来る。また、簡単な構造を有し、かつ製造コストを低く押さえることが出来る利点がある。
また、請求項２記載の構成からして、漏洩した磁力により、回転磁石盤に対しその回転方向とは反対方向に作用する力が働くのを防止できるので、回転磁石盤を一層効率よく回転させることができる。
また、請求項３記載の構成からして、回転磁石盤に一層大きな回転トルクを与える事が出来る利点がある。
【実施例１】
【０００６】
次に添付図面に従って、本考案の実施例を説明する。
図１乃至図３において、１は発電装置を示し、２はその回転磁石盤であって、中心部に軸孔１０を設けた鉄製の円盤１１の外周面部に環状の磁石板１２を固着すると共に、両側面部には、該環状磁石板１２より広径の非磁性体製（例えばＭＣナイロン）絶縁板１３、１４を夫々装着してあり、上記軸孔１０に回転軸１５を挿通して、基台１６上に立設した架台１７、１８に回転可能に軸支してある。
【０００７】
３及び４は一対の固定磁石であって、弧状に形成した磁石片１９を保持部材２０の一側部に固着してなり、一方の固定磁石３を基台１６の上面部に左右にスライド可能に固定すると共に、他方の固定磁石５を、基台１６上に立設した支持体２１の上側部に上下にスライド可能に固定してある。なお、３０、３１は夫々スライド用のレールを示す。
而して、両固定磁石３、４は、前記回転磁石盤２の外周縁部と所定間隔を置いて対向させて、対向面部に回転磁石１２と同一磁極が向くように固定すると共に、一方の固定磁石４は、回転軸１５からの半径線Ｃに対して角度θだけ円周方向に変位させてある。
また、固定磁石３、４は夫々、回転磁石盤２との間隔を回転方向に徐々に狭まるようにして固定してある。
なお、前記回転磁石１２と固定磁石３、４の永久磁石としては、フェライト等の強磁性体を用いることが出来る。
【０００８】
５は駆動モーターであって、その駆動軸２２と回転磁石盤２の回転軸１５とをＶべルト２３を用いて連結してある。なお、駆動モーター５としては、電動モーター、又はガソリンエンジン、ディーゼルエンジンの内燃機関等を用いることが出来る。
また、６は発電機を示し、その回転軸２４と回転磁石盤２の回転軸１５とをＶべルト２５を用いて連結してある。なお、発電機６としては、同期発電機、誘導発電機などの交流発電機、又は直流発電機を使用することが出来る。
【０００９】
上記実施例では、環状磁石盤１２を固着する円盤１１として鉄製のものを用いたが、鋼材等の重量のある金属製のものを用いることができる。
また、上記実施例では、固定磁石３、４を回転磁石盤２の外周縁部との間に所定間隔をおいて２個対設するようにしたが、固定磁相互間に所定距離をおいて複数個設ける場合もある。
また、回転磁石盤２の回転軸１５を水平状態に保持するようにしたが、垂直に保持させる場合もある。
【００１０】
また、上記実施例では、駆動モーター５の駆動軸２２と回転磁石盤２の回転軸１５とをＶベルト２３で連結し、また回転磁石盤２の回転軸１５と発電機６の回転軸２４とをＶベルト２５で夫々連結したが、各連結手段としては、ギア機構、スプロケットホイール、又は他の連結ベルト等を用いることも出来るし、駆動モーター５と発電機６を夫々回転軸１５と同軸に連結することも出来る。
【００１１】
次に本考案にかかる発電装置の動作につき説明すると、停止状態から駆動モーター５により回転磁石盤２を時計回りに回転させると、回転磁石盤２の回転磁石１２と一方の固定磁石３とが近づくようになるため、回転磁石盤２は両者の間の反発力により速度を増した状態で回転する。
そして、さらに回転し、他方の固定磁石６に近づくと、固定磁石６はその固定位置を円周方向に所要角度ずらして設けてあるため両者間の反発力が大きくなり、回転磁石盤２は一段と速度を増した状態で回転し続ける。
しかも、回転磁石盤２の慣性力が大きいことから、回転を開始すると、その慣性力及び回転力でその回転速度が増加される。
而して、回転磁石盤２の大きな回転トルクを、発電機７より大きな電気エネルギーとし取り出すことが出来る。
【００１２】
また、回転磁石盤２を、鉄製円板の外周面部に環状の磁石を固着すると共に、両側面部には、該磁石より広径の非磁性体製円板を夫々装着して形成してあるので、漏洩した磁力により、回転磁石盤２に対しその回転方向とは反対方向に作用する力が働くのを防止することができる。
また、固定磁石３、４は、回転磁石盤２との間隔をその回転方向に徐々狭まるように夫々装着してあるので、両者間の反発力が一層大きくなり、大きな回転トルクを得る事ができる。
【図面の簡単な説明】
【００１３】
【図１】本考案における発電装置の正面概略図である。
【図２】本考案における発電装置の側面概略図である。
【図３】回転磁石盤の断面図である。
【符号の説明】
【００１４】
１      発電装置  
２      回転磁石盤  
３      固定磁石  
４      固定磁石  
５      駆動モーター  
６      発電機  
１０    軸孔
１１    鉄製円盤
１２    回転磁石
１３    絶縁板
１４    絶縁板
１５    回転軸
１６    基台
１７    架台
１８    架台
１９    磁石片
２０    保持部材
２１    支持体
【図１】
0003139037.tif 000003
【図２】
0003139037.tif 000004
【図３】
0003139037.tif 000005
【手続補正書】
【提出日】平成19年11月22日(2007.11.22)
【手続補正１】
【補正対象書類名】明細書
【補正対象項目名】０００２
【補正方法】変更
【補正の内容】
【０００２】
従来、この種発電装置として、本発明者は特開２００２−３０３２５０号として出願し、既に登録されている。
上記発電装置の要旨は、水平に固定された固定板と、該固定板の上面側に取付けられて環状に配置された第一の磁石と、前記固定板の上方に水平に配置され垂直方向に回転軸を有する回転板と、回転板の下面側に取付けられて環状に配置され前記第一の磁石と同一の磁極同士を相対させることで回転板を浮上させる第二の磁石と、回転板を回転駆動させる圧力流体噴射装置からなる回転板駆動装置と、発電機とからなるものである。
【特許文献１】特開２００２−３０３２５０号公報
【手続補正２】
【補正対象書類名】明細書
【補正対象項目名】０００５
【補正方法】変更
【補正の内容】
【０００５】
上記目的を達成するために、本考案の発電装置は、架台に回転可能に軸支され、円盤の周縁部に環状の磁石を設けた回転磁石盤と、前記回転磁石盤の外周縁より所定距離を置いて対向させ、その一方を円周方向に所定距離変位させて配置すると共に、その対向面に回転磁石と同一の磁極が向くようにしてある一対の固定磁石と、前記回転磁石盤を回転駆動する駆動モーターと、前記回転磁石盤の回転によりプーリー等を介して駆動される発電機又は回転軸に一体に取付けた発電機能を有する装置とにより構成してある。
また、前記回転磁石盤は、鉄製円板の外周面部に環状の磁石を固着すると共に、両側面部には、該磁石より広径の非磁性体製円盤を夫々固定して形成する場合がある。また、上記固定磁石は、回転磁石盤との間隔をその回転方向に徐々に狭まるように夫々装着する場合もある。
【手続補正３】
【補正対象書類名】明細書
【補正対象項目名】００１１
【補正方法】変更
【補正の内容】
【００１１】
また、上記実施例では、駆動モーター５の駆動軸２２と回転磁石盤２の回転軸１５とをＶベルト２３で連結し、また回転磁石盤２の回転軸１５と発電機６の回転軸２４とをＶベルト２５で夫々連結したが、各連結手段としては、ギア機構、スプロケットホイール、又は他の連結ベルト等を用いることも出来るし、発電機６の代わりに発電機能を有する装置を回転軸１５に一体に取付けることも出来る。